(57)【要約】【課題】介護施設や病院などに居住又は入院している患者や要介護者が癒しを感じることができる環境を有する建築物を提供する。【解決手段】リハビリ庭園５０は、癒しを感じることができるようになっており、また、リハビリも行うことができるようになっている。このリハビリ庭園５０は、緑豊かな自然と触れることができるように整備されており、また、太陽の光に恵まれるように、南の方向に配置されている。寝たきりの利用者Ｐは、ベッドＢとともに簡易な介助で居室１０から、バリアフリーエリア２０、通路３０、及びスロープ４０を通り、自由にリハビリ庭園５０に移動することができ、このリハビリ庭園５０で自然を感じ癒される。【選択図】図３
0003215427.tif 000002
【実用新案登録請求の範囲】
【請求項１】
バリアフリーエリアと通路とスロープと庭とを含む施設からなる建築物であって、
前記施設から利用者が、前記バリアフリーエリア、前記通路、及び前記スロープを介して前記庭に移動できるように構成されたことを特徴とする建築物。
【請求項２】
前記利用者は、前記施設に備えられている車椅子とともに前記バリアフリーエリア、前記通路、及び前記スロープを介して前記庭に移動できるように構成されたことを特徴とする請求項１に記載の建築物。
【請求項３】
前記利用者は、前記施設に備えられているベッドとともに前記バリアフリーエリア、前記通路、及び前記スロープを介して前記庭に移動できるように構成されたことを特徴とする請求項１に記載の建築物。
【請求項４】
前記利用者は、寝たきりの者であり、簡易な介助で前記施設に備えられているベッドとともに前記バリアフリーエリア、前記通路、及び前記スロープを介して前記庭に移動できるように構成されたことを特徴とする請求項３に記載の建築物。
【請求項５】
前記庭は、前記施設と対向するように配置され、且つ、南の方向に配置されていることを特徴とする請求項１乃至請求項４のいずれか１項に記載の建築物。
【請求項６】
前記庭は、前記利用者に対してリハビリテーションが行われるように構成されたリハビリ庭園であることを特徴とする請求項１乃至請求項５のいずれか１項に記載の建築物。
【考案の詳細な説明】
【技術分野】
【０００１】
本考案は、建築物に関する。
【背景技術】
【０００２】
リハビリテーションを必要とする高齢者は、介護施設などにおいて家族的な雰囲気の中で共同生活を行うことにより、日常生活の向上及び楽しく生き甲斐のある生活を送ることが求められている。
【０００３】
例えば、建物がコの字型で形成され、このコの字型に囲まれた部分に中庭が配置され、この中庭に面し建物内をコの字型に周回する通路が配置されている。この通路を介して居室が複数配置されており、また、中庭を挟んだコの字の一方に通路と連続した介護職員室と玄関が隣接されて配置されている。このような配置において入居者は中庭に面した通路を使用し建物内を効率的に移動することができ、入居者同士の円滑な人間関係を形成するグループホームが開示されている（特許文献１参照）。
【先行技術文献】
【特許文献】
【０００４】
【特許文献１】特開２００２−２６６５１３号
【考案の概要】
【考案が解決しようとする課題】
【０００５】
しかしながら、従来の介護施設においては、自然界で感じることができる癒しというものが欠如している。本来、自然界にある癒し効果が最も必要と思われる介護施設や病院などに居住又は入院している患者や要介護者（特に寝たきりの者など）は、そのような癒しを感じることができる環境から隔離されているのが現状である。
【０００６】
すなわち、寝たきりの者を含む患者や要介護者は、病室、介護者居室などから容易には移動することができないことより、日常的に自然環境の恵みを得ることができるように整備された建築物の開発が期待されていた。
【０００７】
また、寝たきりの患者や要介護者を本人の希望により戸外へ連れ出すことになると、リクライニング式車椅子やストレッチャーなどに移乗させ、エレベーターなどで一階まで降り、その後、バリアフリーとなるように整備されている玄関出入り口などから戸外に出なければならない。そのようにして戸外に出ることができたとしても、この戸外に整備されている庭園入口にスロープがなければこの庭園に進入することはできない。患者や要介護者本人は、移乗時において数人の労力量が必要であり、たとえ本人が、庭園に行きたいと心の内で望んでいたとしても自ら伝えることは困難である。このように本来自然界にある癒し効果を最も必要とする寝たきりの者などの弱者が、この癒し効果から隔離されているという問題がある。
【０００８】
本考案は、こうした点に鑑みてなされたものであり、自然界にある癒し効果が最も必要と思われる介護施設や病院などに居住又は入院している患者や要介護者が、癒しを感じることができる環境を有する建築物を提供することを課題とする。
【課題を解決するための手段】
【０００９】
上記課題を解決するために、本考案に係る建築物は、バリアフリーエリアと通路とスロープと庭とを含む施設からなる建築物であって、前記施設から利用者が、前記バリアフリーエリア、前記通路、及び前記スロープを介して前記庭に移動できるように構成されたことを特徴とする。
【００１０】
本考案に係る建築物の他の態様について、前記利用者は、前記施設に備えられている車椅子とともに前記バリアフリーエリア、前記通路、及び前記スロープを介して前記庭に移動できるように構成されている。
【００１１】
本考案に係る建築物の他の態様について、前記利用者は、前記施設に備えられているベッドとともに前記バリアフリーエリア、前記通路、及び前記スロープを介して前記庭に移動できるように構成されている。
【００１２】
本考案に係る建築物の他の態様について、前記利用者は、寝たきりの者であり、簡易な介助で前記施設に備えられているベッドとともに前記バリアフリーエリア、前記通路、及び前記スロープを介して前記庭に移動できるように構成されている。
【００１３】
本考案に係る建築物の他の態様について、前記庭は、前記施設と対向するように配置され、且つ、南の方向に配置されている。
【００１４】
本考案に係る建築物の他の態様について、前記庭は、前記利用者に対してリハビリテーションが行われるように構成されたリハビリ庭園である。
【考案の効果】
【００１５】
自然界にある癒し効果が最も必要と思われる介護施設や病院などに居住又は入院している患者や要介護者がそのような癒しを感じることができる環境を有する建築物を提供する。
【００１６】
このような本考案において、患者や要介護者は、より簡単に、より日常的に自然と触れ合うことができるようになる。それにより、患者や要介護者は、人間本来の自然治癒力を高め、生活への意欲向上にもつながり、延命効果が期待でき、また、戸外に出てリハビリすることにより、意欲的にリハビリに望むことができる。そして、本考案により、要介護者であれば長期にわたる現状維持や介護度の軽減につながり、また、患者であれば病状の軽快や延命を期待できる。
【図面の簡単な説明】
【００１７】
【図１】実施形態の建築物を示す概略平面図である。
【図２】車椅子とともに移動する一例を示す模式図である。
【図３】ベッドとともに移動する一例を示す模式図である。
【図４】リハビリ庭園でのリハビリの一例を示す模式図である。
【考案を実施するための形態】
【００１８】
以下、本考案に係る実施形態を、図１から図４を用いて説明する。
本実施形態に係る建築物１は、単に介護用ということではなく、自然と共存でき癒しを重要な位置づけとし、病院、介護施設などに適用できる建築物である。
【００１９】
図１は、本実施形態の建築物１を示す概略平面図である。図１に示すように、建築物１は、施設の一例である複数の居室１０とバリアフリーエリア２０と通路３０とスロープ４０とリハビリ庭園５０とを有している。なお、居室は施設の一例であり、例えば、施設はリビングやホールであってもよい。
【００２０】
居室１０は、図１に示すように複数配置されている。この例においては、居室１０は１０室であるが、この数に限定されない。なお、居室１０は、個室であってもよく、また、複数室であってもよい。また、複数の居室１０は、同じ向きに配置されているが、例えば、コの字又はロに字になるようにしてもよい。
【００２１】
バリアフリーエリア２０は、生活において支障となる物理的な障害などが取り除かれた領域であり、居室１０から外部に支障なく移動できるように設けられた領域である。介護用建築部１では、このバリアフリーエリア２０を有することで、居室１０からの人及び物の移動が容易なものとなっており、例えば、居室１０に設けられた充分な広さの吐き出し窓からバリアフリーエリア２０に移動できるようにしてもよい。
【００２２】
通路３０は、バリアフリーエリア２０に通じるように設けられており、各居室１０にバリアフリーエリア２０を介して移動するためのものである。スロープ４０は、通路３０とリハビリ庭園５０との間に設けられており緩やかな傾斜になるように配置され、また、通路３０の両端に配置されている。
【００２３】
リハビリ庭園５０は、本考案の庭の一例であり、癒しを感じることができるようになっており、また、リハビリも行うことができるようになっている。このリハビリ庭園５０は、例えば、緑豊かな自然と触れることができ、太陽の光に恵まれるように、居室１０と対向するように配置され、且つ、南の方向に配置されている。また、リハビリのための器具については、目的に応じて既存のものを用意すればよい。なお、リハビリ庭園５０の大きさは、収容人員などに応じて任意に設計施工可能である。
【００２４】
図２から図４は、利用者Ｐがリハビリ庭園５０に移動して癒されている状態の一例、及びリハビリを行っている状態の一例を示している模式図である。
【００２５】
図２は、利用者Ｐが、車椅子Ｗで居室１０からリハビリ庭園５０に移動した状態を示している。利用者Ｐのこの移動は、健康状態に応じて単独での移動又は介助者の付添によるものとなる。このように利用者Ｐは、車椅子Ｗとともに居室１０から、バリアフリーエリア２０、通路３０、及びスロープ４０を通り、自由にリハビリ庭園５０に移動することができ、このリハビリ庭園５０で自然を感じ癒されることになる。
【００２６】
図３は、利用者Ｐが、ベッドＢとともに居室１０からリハビリ庭園５０に移動した状態を示している。このような利用者Ｐは、例えば、寝たきりの者であり、介助者の付添によるものとなる。図３に示すように寝たきりの利用者Ｐは、簡易な介助でベッドＢとともに居室１０から、バリアフリーエリア２０、通路３０、及びスロープ４０を通り、自由にリハビリ庭園５０に移動することができ、このリハビリ庭園で自然を感じ癒されることになる。
【００２７】
図４は、利用者Ｐが、居室１０からリハビリ庭園５０に移動してリハビリを行っている状態を示している。利用者Ｐのこの移動は、健康状態に応じて車椅子を用いない場合も含み、単独での移動又は介助者の付添によるものとなる。このように利用者Ｐは、居室１０から、バリアフリーエリア２０、通路３０、及びスロープ４０を通り、自由にリハビリ庭園５０に移動することができ、図４に示すように、例えば、手すりを利用した歩行訓練を行うことができる。
【００２８】
上記のような特徴を有する本考案の建築物１を設計施工することにより、利用者Ｐは、自身の意思決定により自由にリハビリ庭園５０に移動でき、例えば、緑豊かな自然と触れ合い、また、太陽の光の恩恵を得ることができる。
【００２９】
すなわち、居室１０などから直接リハビリ庭園５０に移動できるという環境が整えられることで、自然の恵みを全身で受けることができ、このような効果により、人間の基礎的な自然治癒力を高め、生活の意欲向上にも繋がり、延命効果は高いものとなる。
【００３０】
また、本考案により、寝たきりの者であっても容易に戸外に出る事が可能となり、患者や要介護者が戸外に出たいときに、この要望を伝え易くなる。そうすると戸外に出る頻度が増えることに繋がり、患者や要介護者は、太陽の光や爽やかな風を肌で感じる頻度が増え、身体的にも精神的にもリラックスすることができる。これは更に食欲増進、快眠のみならず、治療意欲やリハビリ意欲にも繋がり、延命及び要介護状態の軽減が期待できる。また、終末期の者であればＱＯＬ（クオリティオブライフ）を高めることにもなり得る。
【００３１】
なお、本実施形態の建築物１の実施においては次のとおり留意する。
建築物１の設計において、充分な敷地を用意し、建築物と隣接した庭園（リハビリ庭園５０）が配置されるようにする。各個室（居室１０）やリビング（図示せず）などから戸外に出られるよう、大きな吐き出し窓やドアを設置し、バリアフリー構造（バリアフリーエリア２０）により戸外に出られるようにする。
【００３２】
また、建築物１は、二階以上であれば、各個室のバルコニーに十分な広さと強度を備えた簡易庭園を設置し、利用者Ｐが、ベッドＢ、車椅子Ｗなどとともに外部に移動することができるようにする。また、利用者Ｐが、状況に応じて自由に（勝手に）外に出られないよう、例えば、各出入り口には施錠付きの窓やドアを設置するとよい。
【００３３】
さらに、庭園内には簡易的に操作される川を造り、水が流れる音が聞こえるよう配慮し、この川には橋を設け、階段も造り、要介護軽度者などであればリハビリに活用できるようにし、庭園内の通路には手すりを設置し、通路幅はベッドも通行可能な幅を確保するとよい。
【００３４】
以上が実施形態の建築物１の説明であるが、本実施形態においては次のような構成であってもよい。
敷地内の北側に建築物を建造し、南側に周遊型の庭園を整備する。病室や居室の配置は建築物の南側に配置して、各部屋の南側に充分な広さの吐き出し窓とバルコニーを設置する。各部屋からバリアフリー構造にてベッドのまま窓からバルコニーに出て、その更に南側に通路を配置し、通路の両端にスロープを造る。そのスロープから庭園に繋がるよう遊歩道を整備して、ベッドのままでも部屋から庭園に出られるようにする。庭園には様々な四季折々の樹木を植樹し、小川も整備して日本の四季を感じられるよう庭園を造園する。小川にはスロープ状、階段状の橋をかけ、通路に手すりを設置し、寝たきりでない軽度者であればリハビリにも利用できる庭園とする。
【００３５】
以上、本考案の有する特徴及び優れた点を上記実施形態に記載したが、本考案は、本考案の原理の範囲内で、本願の実用新案登録請求の範囲で使用されている言葉を広く一般的な意味にまで広げて実施することが可能である。特に、建築物、庭などの形態については様々の実施形態が可能であり、それらについて本実施形態と異なる形態又は方法による実施は、本考案の技術的範囲に含まれるものと解する。
【符号の説明】
【００３６】
１      建築物
１０    居室
２０    バリアフリーエリア
３０    通路
４０    スロープ
５０    リハビリ庭園
Ｐ      利用者
Ｗ      車椅子
Ｂ      ベッド
【図１】
0003215427.tif 000003
【図２】
0003215427.tif 000004
【図３】
0003215427.tif 000005
【図４】
0003215427.tif 000006
【手続補正書】
【提出日】平成30年1月27日(2018.1.27)
【手続補正１】
【補正対象書類名】実用新案登録請求の範囲
【補正対象項目名】全文
【補正方法】変更
【補正の内容】
【実用新案登録請求の範囲】
【請求項１】
居室とバリアフリーエリアと通路とスロープと庭とを含む施設からなる建築物であって、
前記バリアフリーエリアは、生活において支障となる物理的な障害などが取り除かれた領域であり、前記居室から外部に支障なく移動できるように設けられた領域であり、前記居室から前記バリアフリーエリアに移動するように構成され、前記通路は、前記バリアフリーエリアに通じるように構成され、前記通路から前記前記バリアフリーエリアを通じて前記居室に移動するように構成され、前記スロープは、前記通路と前記庭との間に設けられており緩やかな傾斜になるように配置されており、
前記施設の利用者が、前記居室から、前記バリアフリーエリア、前記通路、及び前記スロープを介して前記庭に移動できるように構成されたことを特徴とする建築物。
【請求項２】
前記施設の前記居室に備えられている車椅子を有し、前記利用者は、前記車椅子とともに、前記居室から前記バリアフリーエリア、前記通路、及び前記スロープを介して前記庭に移動できるように構成されたことを特徴とする請求項１に記載の建築物。
【請求項３】
前記施設の前記居室に備えられているベッドを有し、前記利用者は、前記ベッドとともに、前記居室から前記バリアフリーエリア、前記通路、及び前記スロープを介して前記庭に移動できるように構成されたことを特徴とする請求項１に記載の建築物。
【請求項４】
前記利用者は、寝たきりの者であり、前記施設の前記居室に備えられているベッドを有し、前記ベッドとともに、簡易な介助で前記居室から、前記バリアフリーエリア、前記通路、及び前記スロープを介して前記庭に移動できるように構成されたことを特徴とする請求項３に記載の建築物。
【請求項５】
前記庭は、前記施設の前記居室と対向するように配置され、且つ、南の方向に配置されていることを特徴とする請求項１乃至請求項４のいずれか１項に記載の建築物。
【請求項６】
前記庭は、前記利用者に対して、手すりを有し、前記手すりを利用した歩行訓練をすることで、リハビリテーションが行われるように構成されたリハビリ庭園であることを特徴とする請求項１乃至請求項５のいずれか１項に記載の建築物。